(57)【要約】      （修正有）【課題】家庭風呂で半身浴者等が身体の移動無しで上半身の露出部分の冷え防止のシャワーをシャワー温度の変化無しで使用出来る本体等を具備した電池式入浴シャワー器具。【解決手段】持ち運び移動可能な本体１で、作動切り替えスイッチ２が入浴者の後頭部に位置する事と、シャワーの温水の水源を浴槽内のお湯を電動ポンプで循環使用する事で入浴者の移動が必要無く半身浴を行える事に対応した。【選択図】図３
0003135882.tif 000002
【実用新案登録請求の範囲】
【請求項１】
防水ケースに内臓の充電式乾電池を電源にして、浴槽内の温水を水源にした汲み上げポンプ内臓の電池式入浴シャワー器具である。
【請求項２】
汲み上げポンプの汲み上げ側には浴槽内に沈められた汲み上げ管が接続され、その先端部分には異物吸い込み防止の為の網状のフィルター装置を備え、汲み上げ管と浴槽面に固定する吸盤方式の汲み上げ管固定具がついた事を特徴とする請求項１に記載の電池式入浴シャワー器具。
【請求項３】
汲み上げポンプの吐水は２方向に分岐され、その先端吐水口に吐水ヘッドを備え、その吐水ヘッドの吐水口の形状は縦横の開口寸法比が１対１５の横長形状にした事を特徴とする請求項１に記載の電池式入浴シャワー器具。
【請求項４】
汲み上げポンプの作動切り替えは、充電式乾電池収納防水ケース、汲み上げポンプ、汲み上げ管及び吐水管を収納した本体の前面部分にプッシュ式の汲み上げポンプ作動切り替えスイッチを装備した事を特徴とする請求項１に記載の電池式入浴シャワー器具。
【請求項５】
電池式入浴シャワー器具本体の背面部分に浴室壁面接着用のマジックテープ（登録商標）を貼り付けた事を特徴とする請求項１に記載の電池式入浴シャワー器具。
【考案の詳細な説明】
【技術分野】
【０００１】  本考案は、電池式入浴シャワー器具に関するものである。
【背景技術】
【０００２】  従来の入浴シャワーは一般的に浴槽内の混合給水栓に分岐接続された入浴シャワーである。又電池式入浴シャワー器具は野外での仮設シャワー等があるがどれもシャワーの水源タンクが必要であり利用目的が高齢者、身体弱者の半身浴には不便である。
【考案の開示】
【考案が解決しようとする課題】
【０００３】  しかし、これでは、半身浴又は全身浴で入浴中の入浴者がシャワーを利用するにはその都度入浴者が浴槽から出るか、入浴者の浴槽内の位置、体勢を変えて水栓器具を給水、給湯の切り替えをして温度調整後にシャワーノズルヘッドを入浴者が持って操作使用しなければならず不便であり、又使用の度にシャワーの吐出温度に変化があり、入浴者にとって吐水温度差の変化は予期しない刺激で不快なものであり、不便である。
【課題を解決するための手段】
【０００４】  そこで、本考案は入浴者の身体の移動無しでシャワーを利用出来る様にシャワー本体とくみ上げ管を一体化し作動電源を充電式乾電池にする事で持ち運び移動を可能にした。シャワーの吐水温度の変化は浴槽内の水をシャワーの水源に循環使用する事で温度変化を防止解決出来る。
【考案の効果】
【０００５】  よって、本考案の電池式入浴シャワー器具を家庭風呂で使用すると、半身浴入浴者が入浴中の上半身の冷え込みを防ぐ度に身体を移動してシャワー操作する事が無くなり、浴槽内のお湯が水源なので温度変化が無く不快感も解消される。
【考案を実施するための最良の形態】
【０００６】  以下、考案の実施形態に係わる電池式入浴シャワー器具の構成、及び動作に関し、図１、図２、図３、図４、図５、図６を用いて説明する。
図１は電池式入浴シャワー器具の正面図である。
図２は電池式入浴シャワー器具の背面図である。
図３は電池式入浴シャワー器具の側面図である。
図４は電池式入浴シャワー器具の本体内部収まり図である。
図５は電池式入浴シャワー器具のホース固定具の縦断面図である。
図６は電池式入浴シャワー器具のホース固定具の水平断面図である。
なお、各図にわたって同一の部位には同一符号を付して説明の重複をさける。【０００７】  本考案にかかる電池式入浴シャワー器具は半身浴入浴者等が、入浴中に水面より露出した身体に浴槽内のお湯を水源とする循環型入浴シャワーを使用する事で、従来のシャワーの様な水のサンドイッチ現象の温度変化という不快感やドッキリ感が解消される。又本考案はシャワーの動作の動力源に充電式乾電池（１３）４本を使用することで一回の入浴時間の長い半身浴にも十分対応する事ができる。なお現在の充電式乾電池は性能が飛躍的に向上し千回の充電も可能となっている。【０００８】  本考案にかかる電池式入浴シャワー器具は、シャワーヘッド（５）の吐水口の形状を横長の形状にする事で噴出水の形状が横長の一枚板の形状を保持出来、噴出水の分散を抑え空気中に接する面積が減り空気中への気化熱への温度移転が抑えられる事でシャワー循環水の温度変化が減少し入浴者がシャワー温度の変化で受ける不快感の解消になる。【０００９】  本考案にかかる電池式入浴シャワー器具の動力源の充電式乾電池（１３）は、漏電防止、電気系統のトラブル発生による器具損傷と入浴者の感電事故防止の為生活安全防水仕様の収納ケース（１２）と乾電池収納防水フタ（７）で収納する事で浴室内でも使用可能となる。【００１０】  本考案にかかる電池式入浴シャワー器具のシャワーヘッド（５）は入浴者の肩部位より５センチ程上の位置に取り付ける事で入浴者の身体に添って循環水が流れ落ちるので頭部の各器官に循環水が跳ねる事の減少を図る。又入浴者の体形に合わせ本体の背面にマジックテープ（６）を取り付ける事で簡単に本体の移動が可能になる。【００１１】  本考案の電池式入浴シャワー器具の作動スイッチ（２）はプッシュ式の２段スイッチで入浴者の後頭部にセットする様に本体の高さと本体の中心にマジックテープ（６）使ってセットする事で入浴者は入浴中に身体の反転や位置移動を行わず頭部の前後移動のみで作動スイッチの切り替えの操作が可能になり入浴者は必要な時に簡単にスイッチの切り替えができる。【００１２】  なお、本考案の電池式入浴シャワー器具は本体、本体に接続する部分の材料、動力としてポリプロピレン、ポリエチレン、ＡＢＳ、充電乾電池及びＡＣ１００Ｖを用いるほか、美観、加工性、耐久性、施工性、安全性及びコスト性に優れた材料、取り付け方法があればそれを用いても構わない。
【図面の簡単な説明】
【００１３】
【図１】は電池式入浴シャワー器具の正面図である。
【図２】は電池式入浴シャワー器具の背面図である。
【図３】は電池式入浴シャワー器具の側面図である。
【図４】は電池式入浴シャワー器具の本体内部収まり図、電気系統配線図である。
【図５】は電池式入浴シャワー器具のホース固定具の縦断面図である。
【図６】は電池式入浴シャワー器具のホース固定具の水平断面図である。
【符号の説明】
【００１４】  １    本体
２    作動スイッチ（プッシュスイッチ）
３    汲み上げ管
４    網フィルター
５    シャワーヘッド
６    マジックテープ（登録商標）
７    充電乾電池収納フタ
８    汲み上げ電動ポンプ
９    吐水管接続管
１０  分岐接続管
１１  シャワーヘッド接続管
１２  充電乾電池収納ケース
１３  充電乾電池
１４  汲み上げ管ジョイント（メス側）
１５  汲み上げ管ジョイント（オス側）
１６  汲み上げ管固定具（吸盤）
１７  電源〜スイッチまでの電気接続コード
１８  電源〜汲み上げ電動ポンプまでの電気接続コード
１９  スイッチ〜汲み上げ電動ポンプまでの電気接続コード
【図１】
0003135882.tif 000003
【図２】
0003135882.tif 000004
【図３】
0003135882.tif 000005
【図４】
0003135882.tif 000006
【図５】
0003135882.tif 000007
【図６】
0003135882.tif 000008
【手続補正書】
【提出日】平成19年7月5日(2007.7.5)
【手続補正１】
【補正対象書類名】実用新案登録請求の範囲
【補正対象項目名】全文
【補正方法】変更
【補正の内容】
【実用新案登録請求の範囲】
【請求項１】
本体ケース内部に防水ケース内臓の充電式乾電池を電源にして、浴槽内の温水を水源にした水中ポンプを取り付けた充電乾電池式入浴シャワー器具である。
【請求項２】
水中ポンプと本体ケースまでの間に浴槽側面に固定する吸盤方式の汲み上げ吐水管固定具がついた事を特徴とする請求項１に記載の充電乾電池式入浴シャワー器具。
【請求項３】
水中ポンプの吐水は３方向に分岐され、その先端吐水口に吐水ヘッドを備え、その吐水ヘッドの吐水口の形状は縦横の開口寸法比が１対６の横長形状にした事を特徴とする請求項１に記載の充電乾電池式入浴シャワー器具。
【請求項４】
水中ポンプの作動切り替えは、本体ケースの前面部分にきのこ型２段プッシュ式の水中ポンプの作動切り替えスイッチを取り付けた事を特徴とする請求項１に記載の充電乾電池式入浴シャワー器具。
【請求項５】
充電乾電池式入浴シャワー器具の本体ケースの背面部分に浴室壁面取付け用のマジックテープ（登録商標）を貼り付けた事を特徴とする請求項１に記載の充電乾電池式入浴シャワー器具。
【手続補正２】
【補正対象書類名】明細書
【補正対象項目名】全文
【補正方法】変更
【補正の内容】
【考案の詳細な説明】
【技術分野】
【０００１】  本考案は、充電乾電池式シャワー器具に関するものである。
【課題を解決するための手段】
【０００４】  そこで、本考案は入浴者の身体の移動無しでシャワーを利用出来る様に本体に水中ポンプを接続し吐水管、分岐吐水管と充電乾電池を内蔵し、吐水ヘッドを本体に一体化し、ポンプ作動電源を充電乾電池にする事で浴室内の任意の場所に持ち運び移動を可能にした。シャワーの吐水温度は浴槽内の水をシャワーの水源に利用し循環使用する事で吐水温度の変化を防止解決出来る。
【考案の効果】
【０００５】  よって、本考案の充電乾電池式入浴シャワー器具を家庭浴槽に取り付け使用すると、半身浴の入浴者が水面上の半身の冷え込みを防ぐ度に身体を移動してシャワー操作する事が無くなり、シャワー水の温度も浴槽内のお湯が水源なので温度変化が無くシャワー使用直後の温度変化の不快感も解消される。
【考案を実施するための最良の形態】
【０００６】  以下、考案の実施形態に係わる充電乾電池式入浴シャワー器具の構成、及び動作に関し、図１、図２、図３、図４、図５、図６、図７、図８を用いて説明する。
図１は充電乾電池式入浴シャワー器具の正面図である。
図２は充電乾電池式入浴シャワー器具の背面図である。
図３は充電乾電池式入浴シャワー器具の側面図である。
図４は充電乾電池式入浴シャワー器具の本体内部収まり図、電気系統配線図である。
図５は充電乾電池式入浴シャワー器具の側断面図である。
図６は充電乾電池式入浴シャワー器具の吐水管固定具の水平断面図である。
図７は充電乾電池式入浴シャワー器具の吐水管固定具の縦断面図である。
図８は充電乾電池式入浴シャワー器具の吐水管系統図である。
なお、各図にわたって同一の部位には同一符号を付して説明の重複をさける。【０００７】  本考案にかかる充電乾電池式入浴シャワー器具は半身浴入浴者等が、入浴中に水面より露出した身体に浴槽内のお湯を水源とする循環型入浴シャワーを使用する事で、従来のシャワーの様な水のサンドイッチ現象の温度変化という不快感やドッキリ感が解消される。又本考案は水中ポンプの動力源に充電式乾電池（８）を４本使用することで一回の入浴時間の長い半身浴にも十分対応する事ができる。なお現在の充電式乾電池は性能が飛躍的に向上し千回の充電も可能となっている。【０００８】  本考案にかかる充電乾電池式入浴シャワー器具は、吐水シャワーヘッド（６）の吐水口の形状を横長の形状にする事で噴出水の形状が横長の一枚板の形状を保持出来、噴出水の分散を抑え空気中に接する面積が減り空気中への気化熱への温度消失が抑えられる事でシャワー循環水の温度変化が減少し入浴者がシャワー温度の変化で受ける不快感の解消になる。【０００９】  本考案にかかる充電乾電池式入浴シャワー器具の動力源の充電式乾電池（８）は、漏電防止、電気系統のトラブル発生による器具損傷と入浴者の感電事故防止の為生活安全防水仕様の充電乾電池収納ケース（７）と充電乾電池収納防水フタ（９）で収納する事で浴室内でも使用可能となる。【００１０】  本考案にかかる充電乾電池式入浴シャワー器具の吐水シャワーヘッド（６）は入浴者の肩部位の５ｃｍ程上の位置に２箇所、首部位の５ｃｍ程上の位置に１箇所取り付ける事で入浴者の身体に添って循環水が流れ落ち入浴者頭部の耳孔、鼻孔、その他各器官に循環水が跳ねる事の減少を図り、又入浴者の体形に合わせ本体の背面にマジックテープ（１３）を取り付ける事で簡単に本体の移動が可能になる。【００１１】  本考案の充電乾電池式入浴シャワー器具の作動スイッチ（２）はきのこ型２段プッシュ式のスイッチで入浴者の後頭部にセットし、本体の高さと本体の中心を本体背面の本体背面ふたにマジックテープ（１３）使ってセットする事で入浴者は入浴中に身体の反転や位置移動を行わず頭部の前後移動のみで作動スイッチの切り替え操作が可能になり入浴者は簡単にスイッチの切り替えができる。【００１２】  なお、本考案の充電乾電池式入浴シャワー器具は本体、本体に接続する部分の材料、動力として小型水中ポンプ他ポリプロピレン、ポリエチレン、ＡＢＳ、充電乾電池を用いるほか、美観、加工性、耐久性、施工性、安全性及びコスト性に優れた材料、取り付け方法があればそれを用いても構わない。
【図面の簡単な説明】
【００１３】
【図１】図１は充電乾電池式入浴シャワー器具の正面図である。
【図２】図２は充電乾電池式入浴シャワー器具の背面図である。
【図３】図３は充電乾電池式入浴シャワー器具の側面図である。
【図４】図４は充電乾電池式入浴シャワー器具の本体内部収まり図、電気系統配線図である。
【図５】図５は充電乾電池式入浴シャワー器具の側断面図である。
【図６】図６は充電乾電池式入浴シャワー器具の吐水管固定具の水平断面図である。
【図７】図７は充電乾電池式入浴シャワー器具の吐水管固定具の縦断面図である。
【図８】図８は充電乾電池式入浴シャワー器具の吐水管系統図である。
【符号の説明】
【００１４】  １    本体ケース
２    作動スイッチ
３    水中ポンプ
４    吐水管
５    分岐吐水管
６    吐水シャワーヘッド
７    充電乾電池収納ケース
８    充電乾電池
９    充電乾電池収納ケースフタ
１０    充電乾電池〜作動スイッチまでの電気接続コード
１１    作動スイッチ〜水中ポンプまでの電気接続コード
１２    吐水管固定具（吸盤）
１３    マジックテープ（登録商標）
１４    スイッチ接点部
１５    本体ケース背面フタ
１６    背面フタ固定ねじ
１７    吐水管接続部（Ｔ字形）
１８    充電乾電池〜水中ポンプまでの電気接続コード
【手続補正３】
【補正対象書類名】図面
【補正対象項目名】全図
【補正方法】変更
【補正の内容】
【図１】
0003135882.tif 000009
【図２】
0003135882.tif 000010
【図３】
0003135882.tif 000011
【図４】
0003135882.tif 000012
【図５】
0003135882.tif 000013
【図６】
0003135882.tif 000014
【図７】
0003135882.tif 000015
【図８】
0003135882.tif 000016